(57)【特許請求の範囲】
【請求項１】
テレビジョン受像機のテレビキャビネットと陰極線管の間の横両側に配置されるスピーカ装置であって、スピーカユニットと、このスピーカユニットの前面に装着される少なくとも開口部の近傍が矩形形状の音響管とから構成されるとともに、長辺と短辺からなる上記矩形形状の開口部の近傍の前記音響管を形成する上記長辺側の両壁部を前記スピーカユニットとの結合部から前記開口部に向かう方向の凹状または凸状として前記音響管内を凹凸状とし、前記音響管の前記開口部内に突出した凸部を開口部の先端またはスピーカユニットとの結合部側でテーパー状としたスピーカ装置。
【請求項２】
音響管の矩形形状の開口部の近傍の外側の壁部の凹部内に補強リブを設けた請求項１に記載のスピーカ装置。
【発明の詳細な説明】
【０００１】
【発明の属する技術分野】
本発明は各種映像音響機器、特にテレビジョン受像機に使用されるスピーカ装置に関するものである。
【０００２】
【従来の技術】
従来の技術を図５〜図６により説明する。図５はスピーカユニットの前面に断面矩形形状の音響管を装着したスピーカ装置の斜視図であり、図６は同スピーカ装置を搭載したテレビジョン受像機の構造概念図である。
【０００３】
同図によると、１はスピーカ装置であり、テレビジョン受像機のテレビキャビネット９と陰極線管８の間に配置されるものである。スピーカ装置１はテレビキャビネット９と陰極線管８間の横両側に配置可能なようにスピーカユニット１ａの前方に装着された音響管２は開口部が長辺と短辺からなる矩形形状となっている。
【０００４】
次にこの音響管２の詳細について説明すると、３は上記音響管２の両側に中央に音路を形成するように挿入された吸音材であり、２ａは矩形状の開口部２ｂの近傍の外側表面に一体に設けられた補強リブである。
【０００５】
スピーカユニット１ａに音声信号を入力すると、音声出力が放射され音響管２の音路を通って前方の開口部２ｂから外部に放射され、聴取者にとって陰極線管８の両側の非常に薄い隙間から豊かな音量が聞こえることになる。
【０００６】
なお、音響管２の内部には音響管２の長さに基づいて発生する定在波や音響管２の内部に発生する定在波により、開口部２ｂの近傍が振動し、共振音を発生したり、再生音圧周波数を乱すことになるので、補強リブ２ａがこの振動を抑制し、共振音の防止、再生音圧周波数特性のフラット化に寄与するよう機能していた。
【０００７】
【発明が解決しようとする課題】
しかしながら、補強リブ２ａは陰極線管８とキャビネット９の隙間に配置される音響管２の矩形状の開口部２ｂの近傍の壁部２ｃに設けたものであるため、開口部２ｂの幅２ｄに制約を与えるものであった。また、開口部２ｂの内部に桟を設け、補強リブ２ａを削除したものも考えられたが再生音圧周波数特性の劣化を招くものでしかなかった。
【０００８】
本発明は上記課題を解決して陰極線管とキャビネットの隙間をより有効に利用できるスピーカ装置を提供するものである。
【０００９】
【課題を解決するための手段】
上記課題を解決するために本発明のスピーカ装置は、スピーカユニットと、このスピーカユニットの前面に装着される少なくとも開口部の近傍が矩形形状の音響管とから構成されるとともに、上記矩形形状の開口部の壁部の断面を凹凸状としたものであり、凹凸状とすることで開口部の強度を向上させるとともに、補強リブのような音響管外への突出部をなくして陰極線管とキャビネットの隙間の活用効率の向上を図るものである。
【００１０】
【発明の実施の形態】
本発明の請求項１に記載の発明は、スピーカユニットと、このスピーカユニットの前面に装着される少なくとも開口部の近傍が矩形形状の音響管とから構成されるとともに、更に長辺と短辺からなる上記矩形形状の開口部を形成する上記長辺側の両壁部を前記スピーカユニットとの結合部から前記開口部に向かう方向の凹状または凸状として前記音響管内を凹凸状とすることで開口部の近傍の強度を向上させるとともに、補強リブのような音響管外への突出部をなくして陰極線管とキャビネットの隙間の活用効率の向上を図るとともに、前記開口部内に突出した凸部を開口部の先端またはスピーカユニットとの結合部側でテーパー状としたものであり、開口部の先端側またはスピーカユニットとの結合部側での強度の向上を図ったものである。
【００１３】
本発明の請求項２に記載の発明は、請求項１に記載の音響管の矩形形状の開口部の近傍の壁部の外側の凹部内に補強リブを設けたものであり、開口部の近傍の更なる強度向上を開口部の近傍の外側の寸法増加なしに行えるものである。
【００１４】
以下、本発明のスピーカ装置の一実施の形態について図１から図４により説明する。なお、従来技術と同一部分は同一番号を付与し、説明を省略して説明する。
【００１５】
（実施の形態１）
図１は本発明のスピーカ装置の一実施の形態の斜視図である。同図により従来技術との相違点のみ説明すると、４ｃは音響管４の長辺と短辺からなる矩形状の開口部４ｂの長辺側近傍の対向する壁部であり、スピーカユニット１ａとの結合部から前記開口部４ｂの方向の凹状または凸状として前記音響管内を凹凸状とするとともに、音響管４の音路内に突出する凸部４ａは開口部４ｂの先端では突出しないようにテーパー状となっている。
【００１６】
以上のように凹凸状の壁部４ｃのスピーカユニット１ａの結合部に近い場所の振動を抑制、共振音をなくし、安定した特性を発揮することを可能としたものである。
【００１７】
なお、上記実施の形態からも明らかなように上記音響管４の音路内に突出する凹凸状の壁部４ｃの凸部４ａは開口部４ｂの先端では突出しないようにテーパー状としたため、音響管４の開口部４ｂの先端開口の寸法形状は単なる矩形状となり、キャビネット９側に開口部４ｂの内側との位置決め用ガイドがあっても、障害とならないものである。
【００１８】
また、壁部４ａの凹凸状の凹凸の数はスピーカユニット１の性能等によって適宜決定すれば良いものである。
【００１９】
（実施の形態２）
図２は本発明のスピーカ装置の他の実施の形態の斜視図であり、実施の形態１との相違点のみ説明すると、音響管５内に突出する凹凸状の壁部５ｃの凸部５ａを開口部５ｂから音響管５とスピーカユニット１ａの結合部に向かって高さが低くなるテーパー状の凸部５ａとすることにより、音響管５の開口部５ｂの寸法を変更することなく、開口部５ｂの近傍、特に開口部５ｂ側の振動を抑制し、共振音をなくし、安定した特性を発揮することが可能となるものである。
【００２０】
（実施の形態３）
図３は本発明のスピーカ装置の他の実施の形態の斜視図であり、実施の形態１と実施の形態２の特徴を有するものであり、音響管６の音路内に突出する凹凸状の壁部６ｄの凸部６ａが開口部６ｃの先端では外側に突出しないようにテーパー状にするとともに、開口部６ｃから音響管６とスピーカユニット１ａの結合部に向かって高さが低くなるテーパー状の凸部６ｂを設けたものである。
【００２１】
これにより、音響管６のスピーカユニット１ａとの結合部に近い場所の振動および開口部６ｃ側の振動の両者を抑制し、共振音をなくし、安定した特性を発揮することが可能となるものである。
【００２２】
（実施の形態４）
図４は本発明のスピーカ装置の他の実施の形態の斜視図であり、実施の形態１との相違点のみ説明すると、音響管７の壁部７ｄの外側の凹凸状の凹部７ａに桟状の補強リブ７ｂを一体に形成したものである。なお、７ｃは開口部である。
【００２３】
以上の構成により、音響管７の外側寸法を増加させることなく更に共振を抑制し安定した特性を発揮することが可能となるものである。
【００２４】
なお、上記実施の形態で明らかなように本発明のスピーカ装置は、従来の補強リブを否定するものではなく、併用することによってより強度の向上を図り、共振現象の抑制を図り、より優れたスピーカ装置の提供をも可能とするものである。
【００２５】
【発明の効果】
以上のように本発明のスピーカ装置は、スピーカユニットと、このスピーカユニットの前面に装着される少なくとも開口部の近傍が矩形形状の音響管とから構成するとともに、上記矩形形状の開口部の壁部を形成凹凸状としたものであり、凹凸状とすることで開口部の近傍の強度を向上させて共振を抑制して安定した特性を有し、且つ補強リブのような音響管外への突出部をなくして陰極線管とキャビネットの隙間の活用効率の向上を図ったスピーカ装置の提供を可能としたものである。
【図面の簡単な説明】
【図１】本発明のスピーカ装置の一実施の形態の斜視図
【図２】同他の実施の形態の斜視図
【図３】同他の実施の形態の斜視図
【図４】同他の実施の形態の斜視図
【図５】従来のスピーカ装置の斜視図
【図６】同装置を内蔵したテレビジョン受像機の構造概念図
【符号の説明】
１ａ  スピーカユニット
４，５，６，７  音響管
４ａ，５ａ，６ａ  凸部
４ｂ，５ｂ，６ｃ，７ｃ  開口部
４ｃ，５ｃ，６ｄ，７ｄ  壁部
７ａ  凹部
７ｂ  補強リブ
【図１】
0004048620.tif 000002
【図２】
0004048620.tif 000003
【図３】
0004048620.tif 000004
【図４】
0004048620.tif 000005
【図５】
0004048620.tif 000006
【図６】
0004048620.tif 000007